(57)【特許請求の範囲】
【請求項１】
容器本体から突出されているステムと、
そのステムに取り付けられており、カム部が設けられている切替シャフトと、
その切替シャフトに被せてその切替シャフトまわりに回動自在に取り付けられ、前記カム部が突入されている噴出通路が形成されており、使用時に押し下げたとき前記切替シャフトを介して前記ステムを押し込んで前記容器本体内の内容物を内部を通して前記噴出通路に入れる噴射ボタンと、
その噴射ボタンの噴出通路の開口を塞ぐように取り付けられおり、前記噴出通路に入れられた内容物を噴出する噴出口が設けられているノズル部材と、
前記噴射ボタンの噴出通路に収納されており、前記噴射ボタンの回動により前記カム部で前記ノズル部材に対して近付けたり遠退けたりされて、前記噴出口から噴出される内容物の噴出状態を切り替えるセンタポストと、
前記ステムおよび前記噴射ボタンまわりを被って前記ステムまわりに回動自在に取り付けられており、回動により前記噴射ボタンを連動して回動するキャップカバーと、
が備えられている噴出器。
【請求項２】
押下阻止位置で前記噴射ボタンを突き当ててその噴射ボタンの押し下げを阻止する突き当て部と、押下可能位置で前記噴射ボタンの突き当てを解除してその噴射ボタンの押し下げを可能とする欠損部とが設けられ、
前記容器本体に被せて取り付けられる一方、
前記キャップカバーが被せて取り付けられている、
肩カバーが備えられている、請求項１に記載の噴出器。
【請求項３】
前記肩カバーには、前記噴射ボタンが前記押下阻止位置にあるとき、前記キャップカバーの噴射窓を塞ぐシャッタを備えてなる、請求項２に記載の噴出器。
【請求項４】
前記キャップカバーに、それを回動するとき前記肩カバーと係合してクリック感を付与する係合部を設けてなる、請求項２、または３に記載の噴出器。
【発明の詳細な説明】
【０００１】
【発明の属する技術分野】
この発明は、使用時、指を掛けて噴射ボタンを押し下げ、ステムを押し込んで容器本体内の、液状・乳液状等の内容物をステムを通して噴射ボタンへと入れ、その噴出口から噴出する、洗顔用・整髪用・化粧用・消毒用・洗浄用・薬用・塗装用などの噴出器に関する。
【０００２】
【従来の技術】
従来、この種の噴出器の中には、使用時に、キャップを取り外して噴射ボタンに指を掛け、その噴射ボタンを押し下げてステムを押し込み、容器本体内の内容物をステムを通して噴射ボタンへと入れ、その噴出口から噴出するものがある。
【０００３】
また、そのような噴出器の中には、たとえば携行時、キャップが外れて不用意に噴射ボタンを押し下げ、誤って内容物を噴出することがないように、使用時に噴射ボタンを押下阻止位置から押下可能位置へと回動するようにしたものがある。このような噴出器では、噴射ボタンの回動方向により、噴出口からの内容物の噴出状態を、たとえば連続直線流としたり霧状噴出流としたりして切り替えるようにするものもあった。
【０００４】
ところが、このような噴出器では、使用時にいちいちキャップを取り外し、使用後に取り付けなければならず、またキャップを取り外したときにはステムや噴射ボタンまわりが露出して見てくれが悪い問題があった。
【０００５】
そこで、従来の噴出器の中には、噴射窓を設けてステムや噴射ボタンのまわりを被うキャップカバーを備え、使用時は、キャップカバーを取り付けたままの状態で噴射ボタンを押し下げ、ステムを押し込んで容器本体内の内容物をステムを通して噴射ボタン内へと入れ、その噴射ボタンの噴出口からキャップカバーの噴射窓を通して噴出するようにしたものもある。
【０００６】
【発明が解決しようとする課題】
しかしながら、このような噴出器では、噴射ボタンまわりにキャップカバーがあることから、噴射ボタンを回動するようにすることができず、噴射ボタンの回動方向により、噴射ボタンを押下阻止位置から押下可能位置へと回動するようにしたり、噴出口からの内容物の噴出状態を切り替えるようにしたりすることができない問題があった。
【０００７】
そこで、この発明の第１の課題は、使用時に取り外したり取り付けたりする面倒なく、キャップ部材でステムや噴射ボタンを被う噴出器において、噴射ボタンを押下阻止位置と押下可能位置との間で回動自在とすることにある。
【０００８】
第２の課題は、そのような噴出器において、噴出口からの内容物の噴出状態を切り替え可能とすることにある。
【０００９】
第３の課題は、上述した噴出器において、噴射ボタンを押下阻止位置としたことを容易に確認可能とすることにある。
【００１０】
第４の課題は、上述した噴出器において、噴射ボタンの回動位置を容易に確認可能とすることにある。
【００１１】
【課題を解決するための手段】
そのため、この発明に係る噴出器は、
容器本体から突出されているステムと、
そのステムに取り付けられており、カム部が設けられている切替シャフトと、
その切替シャフトに被せてその切替シャフトまわりに回動自在に取り付けられ、カム部が突入されている噴出通路が形成されており、使用時に押し下げたとき切替シャフトを介してステムを押し込んで容器本体内の内容物を内部を通して噴出通路に入れる噴射ボタンと、
その噴射ボタンの噴出通路の開口を塞ぐように取り付けられおり、噴出通路に入れられた内容物を噴出する噴出口が設けられているノズル部材と、
噴射ボタンの噴出通路に収納されており、噴射ボタンの回動によりカム部でノズル部材に対して近付けたり遠退けたりされて、噴出口から噴出される内容物の噴出状態を切り替えるセンタポストと、
ステムおよび噴射ボタンまわりを被ってステムまわりに回動自在に取り付けられており、回動により噴射ボタンを連動して回動するキャップカバーと、
が備えられている、ことを特徴とする。
【００１２】
請求項２に係る発明は、
請求項１に記載の噴出器において、
押下阻止位置で噴射ボタンを突き当ててその噴射ボタンの押し下げを阻止する突き当て部と、押下可能位置で噴射ボタンの突き当てを解除してその噴射ボタンの押し下げを可能とする欠損部とが設けられ、
容器本体に被せて取り付けられる一方、
キャップカバーが被せて取り付けられている、
肩カバーが備えられている、ことを特徴とする。
【００１３】
請求項３に係る発明は、上述した第３の課題を達成すべく、請求項２に記載の噴出器において、肩カバーには、噴射ボタンが押下阻止位置にあるとき、キャップカバーの噴射窓を塞ぐシャッタを備えてなる、ことを特徴とする。
【００１４】
請求項４に係る発明は、上述した第４の課題を達成すべく、請求項２、または３に記載の噴出器において、キャップカバーに、それを回動するとき肩カバーと係合してクリック感を付与する係合部を設けてなる、ことを特徴とする。
【００１５】
【発明の実施の形態】
以下、図面を参照しつつ、この発明の実施の形態につき説明する。
図１には、この発明による噴出器の要部縦断面を示す。この発明による噴出器は、図示するように、容器本体１０の上に噴射装置１２を取り付けてなる。
【００１６】
容器本体１０は、縦長な円缶状をなし、内部に、洗顔用・整髪用・化粧用・消毒用・洗浄用・薬用・塗装用その他の、液状の内容物を収納してなる。内容物は、液状に限らず、乳液状等であってもよい。
【００１７】
そして、容器本体１０には、上縁外周にから径を絞って若干小径の巻締め部１５を設ける。巻締め部１５の中央からは、上向きにステム１６を突出してなる。
【００１８】
一方、噴射装置１２は、肩カバー２０と、切替シャフト３０と、Ｏリング４０と、噴射ボタン５０と、スプリング６０と、センタポスト７０と、ノズル部材８０と、キャップカバー９０の８つの部品で構成してなる。
【００１９】
まず、肩カバー２０は、図２（Ａ）および（Ｂ）に示すとおり、外周に上向き段部ａ・ｂを二段に設けて上方に向けて順次小径となる外筒部２１を設け、その内側に二重の内筒部２２を形成してなる。
【００２０】
外筒部２１には、下段内周面に、内向き突条２３を３つ周方向に設ける。中段の上部上向き段部ｂには外向き凸部２４を周方向に形成し、同上部上向き段部ｂ上には小さな矩形状の突片２５ａ・２５ｂ・２５ｃ・２５ｄを４つ設ける。そのうち２つの突片２５ａ・２５ｂは近接して設け、他の２つの突片２５ｃ・２５ｄは各々それらから一定間隔離して設ける。
【００２１】
また、突片２５ａ・２５ｂを設けると径方向反対の側には、外筒部２１上段の上縁一部から一定幅で上向きにのばして横断面弧状で細長なシャッタ２６を立てる。同じく上段の内周面には、上向きの突き当て段部２７を設ける。突き当て段部２７には、シャッタ２６の両側とそれに対向する各位置に欠損部ｃおよびｄを設けてなる。
【００２２】
他方、二重の内筒部２２には、内周側の対向する位置に一対のスリット２７ａ・２７ｂをともに縦方向に設けてなる。
【００２３】
そして、この肩カバー２０は、容器本体１０の上部に被せ、上から押し込んで巻締め部１５を乗り越え、図１に示すようにその巻締め部１５に３つの内向き突条２３を下から係合して抜け止めしてなる。
【００２４】
次に、切替シャフト３０は、図３（Ａ）・（Ｂ）・（Ｃ）に示すとおり、中間に鍔部３１を有する円筒状をなす。そして、下縁外周には、径方向反対位置に一対の突部３２ａ・３２ｂを互いに外向きに突出して設ける。鍔部３１のすぐ上には、円周溝３３を設ける。また、上面には、楕円状のカム部３４を設けてなる。
【００２５】
そして、この切替シャフト３０は、一対の突部３２ａ・３２ｂを、上述した肩カバー２０の一対のスリット２７ａ・２７ｂにはめ込み、図１に示すように下部を内筒部２２内に挿入するとともに、下部内にステム１６を圧入してなる。
【００２６】
Ｏリング４０は、断面円形でリング状をなし、図１に示すとおり、切替シャフト３０の円周溝３３にはめ付けてなる。
【００２７】
噴射ボタン５０は、図４（Ａ）および（Ｂ）に示すとおり、円形ボタン状をなす本体部５１の内部に、一方を開口して径方向にのびる噴出通路５２を形成してなり、同本体部５１の上面には複数の平行溝を形成して指当て面５３を設ける。また、本体部５１外周の径方向反対の位置には、耳状に一対の突部５４ａ・５４ｂを互いに外向きに突出して設けてなる。
【００２８】
本体部５１の下面からは、同心でそれぞれ下向きにのばし、噴出通路５２に連通するシャフト嵌合孔５５を中心に有する小径筒部５６と、下方へと一段と長く形成した中径筒部５７と、外周にスカート状に有する大径筒部５８とを設ける。中径筒部５７には、下縁近くの内周に、周方向に突条５９を内向きに設ける。
【００２９】
そして、この噴射ボタン５０は、図１に示すように、シャフト嵌合孔５５に切替シャフト３０の上部を挿入して切替シャフト３０に被せてなり、Ｏリング４０を圧縮して切替シャフト３０との間を気密に保持し、噴出通路５２内の内容物が外部へと漏れることを阻止する。そうして、突条５９が鍔部３１の外周を乗り越え、小径筒部５６の先端を鍔部３１に突き当てるとともに、突条５９を鍔部３１の外周縁に下から係合して抜け止めしてなる。
【００３０】
このとき、切替シャフト３０のカム部３４は、噴出通路５２内に突出する。また、噴射ボタン５０の中径筒部５７は肩カバー２０の二重の内筒部２２の外側と内側間に入り、大径筒部５８は外筒部２１の上段内に入る。そして、噴出通路５２の開口がシャッタ２６と対向するようにする。
【００３１】
この状態では、指当て面５３に指を当てて噴射ボタン５０を押し下げても、突部５４ａ・５４ｂが肩カバー２０の突き当て段部２７に突き当たり、噴射ボタン５０の移動を阻止してなる。
【００３２】
スプリング６０は、図１に示すように、そのような噴射ボタン５０にあけた噴出通路５２の一番奥に収納する。
【００３３】
センタポスト７０は、そのスプリング６０を圧縮して噴出通路５２内に収納する。そして、センタポスト７０を押し込んだ状態で、上述したように噴射ボタン５０のシャフト嵌合孔５５内に切替シャフト３０の上部を挿入し、スプリング６０の付勢力で、常時センタポスト７０の尾端拡径部７１を切替シャフト３０のカム部３４に押し当てるようにする。
【００３４】
ノズル部材８０は、図５（Ａ）および（Ｂ）に示すとおり、小さな円形のキャップ状をなし、頂部８１中心に噴出口８２を設けるとともに、頂部８１の内面に渦巻き状の溝８３を形成してなる。また、筒部８４の外周には、係止突起８５を設ける。
【００３５】
そして、このノズル部材８０は、図１に示すように、噴出通路５２の入口に圧入して筒部８４内にセンタポスト７０の先端部７２を緩く挿入し、係止突起８５を噴出通路５２の内周に掛け止めて抜け止めし、噴射ボタン５０にあけた噴出通路５２の開口を塞いでなる。
【００３６】
キャップカバー９０は、図６（Ａ）・（Ｂ）・（Ｃ）に示すとおり、大きな円形のキャップ状をなし、中央にはボタン収納孔９１を有し、それから径方向に指挿入凹部９２を設け、またボタン収納孔９１を挟んで指挿入凹部９２と径方向反対側の外周には噴射窓９３をあけてなる。
【００３７】
ボタン収納孔９１の孔縁には、指挿入凹部９２の両側壁の垂直端縁９４ａ・９４ｂを位置する。また、キャップカバー９０内には、下向きに円筒部９５を形成し、その内周面に周方向の内向き突条９６を３つ設けるとともに、噴射窓９３と対向する側に小片板状の係合部９７を内向きに突出して設ける。
【００３８】
そして、このキャップカバー９０は、図１に示すように、シャッタ２６に噴射窓９３を一致させ、ボタン収納孔９１内に噴射ボタン５０とシャッタ２６を入れて肩カバー２０に被せる。
【００３９】
これにより、内向き突条９６が肩カバー２０の外向き凸部２４を乗り越え、円筒部９５の先端を下部上向き段部ａ上に突き当てるとともに、内向き突条９６を外向き凸部２４に下から係合して抜け止めしてなる。また、係合部９７が肩カバー２０の２つの近接する突片２５ａ・２５ｂ間に入り込む。
【００４０】
このとき、垂直端縁９４ａ・９４ｂは、噴射ボタン５０の一対の突部５４ａ・５４ｂに隣接する。そして、ステム１６まわりにキャップカバー９０を回動すると、垂直端縁９４ａ・９４ｂが一対の突部５４ａ・５４ｂを押して噴射ボタン５０を連動して回動するようにする。
【００４１】
ところで、この不使用状態では、図７（Ａ）に示すように、噴射ボタン５０を押下阻止位置とし、その突部５４ａ・５４ｂは、肩カバー２０の欠損部ｃおよびｄとずれた位置とする。このため、上述したように噴射ボタン５０の指当て部５３に指を当てて噴射ボタン５０を押し下げても、突部５４ａ・５４ｂが肩カバー２０の突き当て段部２７に突き当たり、噴射ボタン５０の移動を阻止してなる。
【００４２】
故に、使用するときは、クリック感をもって係合部９７と突片２５ａまたは２５ｂとの係合を外し、ステム１６まわりにキャップカバー９０を回動する。
【００４３】
たとえば突片２５ａとの係合を外して図７（Ａ）において反時計方向に回動すると、垂直端縁９４ａが噴射ボタン５０の突部５４ａを押し、そのキャップカバー９０の回動に連動して噴射ボタン５０も回動する。そして、係合部９７をクリック感をもって次の突片２５ｃとの係合も外すと、噴射ボタン５０を図７（Ｂ）に示す押下可能位置まで回動し、突部５４ａ・５４ｂを肩カバー２０の欠損部ｄと一致した位置とすることができる。
【００４４】
すると、カム部３４の長径方向を噴出通路５２の方向に沿わせ、センタポスト７０をスプリング６０の付勢力に抗して若干噴出通路５２の奥方向へと押し込み、センタポスト７０の先端とノズル部材８０の頂部８１内面との間の隙間を広げることができる。
【００４５】
これにより、指当て部５３に指を当てて噴射ボタン５０を押し下げると、ステム１６を押し込んで容器本体１０内の内容物をステム１６を通して切替シャフト３０から噴射ボタン５０内の噴出通路５２内へと入れ、ノズル部材８０の噴出口８２からキャップカバー９０の噴射窓９３を通して連続直線流として噴出することができる。
【００４６】
使用後、突片２５ｃとの係合を外してキャップカバー９０を時計方向に戻すと、今度は他方の垂直端縁９４ｂが噴射ボタン５０の突部５４ｂを押し、そのキャップカバー９０の回動に連動して噴射ボタン５０も回動する。そして、クリック感をもって突片２５ａとの係合を外して係合部９７を突片２５ａ・２５ｂ間に位置することにより、再び噴射窓９３をシャッタ２６で塞いだ元の位置に復帰することができる。
【００４７】
逆に、突片２５ｂとの係合を外してキャップカバー９０を図７（Ａ）において時計方向に回動すると、垂直端縁９４ｂが噴射ボタン５０の突部５４ｂを押し、そのキャップカバー９０の回動に連動して噴射ボタン５０も回動する。そして、係合部９７をクリック感をもって次の突片２５ｄとの係合も外すと、噴射ボタン５０を図７（Ｃ）に示す押下可能位置まで回動し、突部５４ａ・５４ｂを肩カバー２０の欠損部ｃと一致した位置とすることができる。
【００４８】
すると、カム部３４の短径方向を噴出通路５２の方向に沿わせ、センタポスト７０をスプリング６０の付勢力により噴出通路５２の開口方向へと押し出し、センタポスト７０の先端とノズル部材８０の頂部８１内面との間の隙間をなくすことができる。
【００４９】
これにより、指当て部５３に指を当てて噴射ボタン５０を押し下げると、ステム１６を押し込んで容器本体１０内の内容物をステム１６を通して切替シャフト３０から噴射ボタン５０内の噴出通路５２内へと入れる。その後、ノズル部材８０の内面に形成した渦巻き状の溝８３を通り、噴出口８２からキャップカバー９０の噴射窓９３を通して霧状として噴出することができる。
【００５０】
使用後、突片２５ｄとの係合を外してキャップカバー９０を反時計方向に戻すと、今度は他方の垂直端縁９４ａが噴射ボタン５０の突部５４ａを押し、そのキャップカバー９０の回動に連動して噴射ボタン５０も回動する。そして、クリック感をもって突片２５ｂとの係合を外して係合部９７を突片２５ａ・２５ｂ間に位置することにより、再び噴射窓９３をシャッタ２６で塞いだ元の位置に復帰することができる。
【００５１】
このようにして、図示例では、ステム１６まわりのキャップカバー９０の回動に連動して噴射ボタン５０を押下阻止位置と押下可能位置との間で回動し、キャップカバー９０の回動方向により噴出口８２からの内容物の噴出状態を、たとえば連続直線流としたり霧状噴出流としたりして切り替えることができる。
【００５２】
そして、噴射ボタン５０が押下阻止位置にあるときは、噴射窓９３を塞ぐシャッタ２６を備えるとともに、キャップカバー９０には、それを回動するとき肩カバー２０の突片２５ａ・２５ｂ・２５ｃ・２５ｄと係合してクリック感を付与する係合部９７を設けてなる。
【００５３】
図示例では、肩カバー２０を設け、それにシャッタ２６および突片２５ａ・２５ｂ・２５ｃ・２５ｄを形成した。しかし、シャッタは、肩カバーに限らず、他の部材に設けてもよく、また係合部は、肩カバーに限らず、他の部材に係合するようにしてもよい。
【００５４】
【発明の効果】
したがって、この発明によれば、キャップ部材でステムや噴射ボタンまわりを被って見てくれを良くすることができる。
【００５５】
請求項２に係る発明によれば、ステムまわりのキャップカバーの回動に連動して噴射ボタンを押下阻止位置と押下可能位置との間で回動するから、不使用時はキャップカバーの回動に連動して噴射ボタンを押下阻止位置へと回動し、不用意に噴射ボタンを押し下げて内容物を噴出する誤りをなくすことができる。
【００５６】
この発明によれば、キャップカバーの回動方向により噴出口からの内容物の噴出状態を切り替えることができる。
【００５７】
請求項３に係る発明によれば、加えて、噴射ボタンが押下阻止位置にあるとき、噴射窓を塞ぐシャッタを備えるから、噴射ボタンを押下阻止位置としたことを容易に確認可能とすることができる。
【００５８】
請求項４に係る発明によれば、加えて、キャップカバーに、それを回動するとき肩カバーと係合してクリック感を付与する係合部を設けるから、噴射ボタンの回動位置を容易に確認可能とすることができる。
【図面の簡単な説明】
【図１】この発明による噴出器の要部縦断面図である。
【図２】その噴出器で用いる肩カバーで、（Ａ）は平面図、（Ｂ）はその中央縦断面図である。
【図３】その噴出器で用いる切替シャフトで、（Ａ）は平面図、（Ｂ）はその中央縦断面図、（Ｃ）は底面図である。
【図４】その噴出器で用いる噴射ボタンで、（Ａ）は平面図、（Ｂ）はその中央縦断面図である。
【図５】その噴出器で用いるノズル部材で、（Ａ）は中央縦断面図、（Ｃ）は右側面図である。
【図６】その噴出器で用いるキャップカバーで、（Ａ）は平面図、（Ｂ）はその中央縦断面図、（Ｃ）は底面図である。
【図７】その噴出器をキャップカバーを外して噴出通路に沿って切断したときの横断面図で、（Ａ）は不使用状態、（Ｂ）は連続直線流吐出状態、（Ｃ）は霧状噴出流吐出状態を示す。
【符号の説明】
１０    容器本体
１２    噴射装置
１６    ステム
２０    肩カバー（他部材）
２５ａ・２５ｂ・２５ｃ・２５ｄ    突片
２６    シャッタ
３０    切替シャフト
４０    Ｏリング
５０    噴射ボタン
５２    噴出通路
６０    スプリング
７０    センタポスト
８０    ノズル部材
８２    噴出口
９０    キャップカバー
９３    噴射窓
９７    係合部
【図１】
0004321930.tif 000002
【図２】
0004321930.tif 000003
【図３】
0004321930.tif 000004
【図４】
0004321930.tif 000005
【図５】
0004321930.tif 000006
【図６】
0004321930.tif 000007
【図７】
0004321930.tif 000008